(57)【特許請求の範囲】
【請求項１】
表示窓を有する外筒と、
前記外筒に回転可能に収容され、鍵穴を有する内筒と、
前記外筒に移動可能に収容され、第１表示態様を示す第１表示領域を含み、前記鍵穴に挿入された鍵で押されることにより、前記表示窓から前記第１表示領域の少なくとも一部が目視可能に露出している第１位置から、前記第１表示領域の前記少なくとも一部が前記表示窓から目視可能に露出しなくなり、かつ前記鍵により押されなくなる第２位置まで移動する第１表示盤と
を備えるシリンダ錠。
【請求項２】
前記第１表示盤は、前記鍵が回転することで前記鍵により押され、前記第１位置から前記第２位置まで移動する、請求項１に記載のシリンダ錠。
【請求項３】
前記第１表示盤は、弧状であり、前記外筒の内壁に沿って、前記第１位置から前記第２位置まで移動する、請求項２に記載のシリンダ錠。
【請求項４】
前記第１表示盤が前記第１位置にある場合、前記第１表示盤が前記外筒の前記内壁によって押されて前記鍵穴の中心軸の方向に弾性変形することで、前記第１表示盤の第１部分が前記鍵の回転経路上に位置し、
前記第１表示盤が前記第２位置にある場合、前記第１表示盤が前記第１位置にある場合より前記鍵穴の中心軸の方向への弾性変形が小さくなることで、前記第１表示盤の前記第１部分が前記鍵の回転経路上から退避している、請求項３に記載のシリンダ錠。
【請求項５】
前記外筒は、前記内壁に形成された内壁凹部を有し、
前記第１表示盤が前記第２位置にある場合、前記第１表示盤の第２部分が前記内壁凹部に嵌ることで、前記第１表示盤が前記第１位置にある場合より前記鍵穴の中心軸の方向への弾性変形が小さくなる、請求項４に記載のシリンダ錠。
【請求項６】
キーコードを変更可能であり、キーコードをリセット可能な共通鍵およびキーコードをリセット不可能な固有鍵で開錠可能な可変錠である、請求項１から請求項５のいずれか１つに記載のシリンダ錠。
【請求項７】
前記内筒と前記第１表示盤との間に配置され、前記第１表示態様とは異なる第２表示態様を示す第２表示領域と、前記第１表示態様および前記第２表示態様とは異なる第３表示態様を示す第３表示領域とを含む第２表示盤をさらに備え、
前記外筒は、前記第２表示盤を回転可能にさらに収容し、
前記表示窓は、前記第１表示領域の少なくとも一部を目視可能に露出しておらず、かつ開錠可能である鍵が前記共通鍵である場合、前記第２表示領域の少なくとも一部を目視可能に露出し、前記第１表示領域の少なくとも一部を目視可能に露出しておらず、かつ開錠可能である鍵が前記固有鍵である場合、前記第３表示領域の少なくとも一部を目視可能に露出する、請求項６に記載のシリンダ錠。
【請求項８】
前記第１表示盤と前記第２表示盤との間に仕切盤をさらに備え、
前記外筒は、前記仕切盤を回転不可能にさらに収容する、請求項７に記載のシリンダ錠。
【発明の詳細な説明】
【技術分野】
【０００１】
本発明は、シリンダ錠に関する。
【背景技術】
【０００２】
特許文献１には、流通業者用の鍵と運用業者用の鍵とを用いることで、多数の者が合鍵を所持して機器の運用を行うことができる利便性を維持しつつ、合鍵を不正に設定変更されないようにして、セキュリティ性を向上させることができる鍵の運用方法が記載されている。
特許文献１  特開２０１４−２３５９５
【発明の概要】
【発明が解決しようとする課題】
【０００３】
遊技機などに用いられる錠において、流通過程などで不正に錠が開けられたことを把握できるようにすることが望まれている。
【課題を解決するための手段】
【０００４】
本発明の一態様に係るシリンダ錠は、表示窓を有する外筒と、外筒に回転可能に収容され、鍵穴を有する内筒と、外筒に移動可能に収容され、第１表示態様を示す第１表示領域を含み、鍵穴に挿入された鍵で押されることにより、表示窓から第１表示領域の少なくとも一部が目視可能に露出している第１位置から、第１表示領域の少なくとも一部が表示窓から目視可能に露出しなくなり、かつ鍵により押されなくなる第２位置まで移動する第１表示盤とを備える。
【０００５】
上記シリンダ錠において、第１表示盤は、鍵が回転することで鍵により押され、第１位置から第２位置まで移動してよい。
【０００６】
上記シリンダ錠において、第１表示盤は、弧状であり、外筒の内壁に沿って、第１位置から第２位置まで移動してよい。
【０００７】
上記シリンダ錠において、第１表示盤が第１位置にある場合、第１表示盤が外筒の内壁によって押されて鍵穴の中心軸の方向に弾性変形することで、第１表示盤の第１部分が鍵の回転経路上に位置し、第１表示盤が第２位置にある場合、第１表示盤が第１位置にある場合より鍵穴の中心軸の方向への弾性変形が小さくなることで、第１表示盤の第１部分が鍵の回転経路上から退避していてよい。
【０００８】
上記シリンダ錠において、外筒は、内壁に形成された内壁凹部を有し、第１表示盤が第２位置にある場合、第１表示盤の第２部分が内壁凹部に嵌ることで、第１表示盤が第１位置にある場合より鍵穴の中心軸の方向への弾性変形が小さくなってよい。
【０００９】
上記シリンダ錠は、キーコードを変更可能であり、キーコードをリセット可能な共通鍵およびキーコードをリセット不可能な固有鍵で開錠可能な可変錠でよい。
【００１０】
上記シリンダ錠は、内筒と第１表示盤との間に配置され、第１表示態様とは異なる第２表示態様を示す第２表示領域と、第１表示態様および第２表示態様とは異なる第３表示態様を示す第３表示領域とを含む第２表示盤をさらに備え、外筒は、第２表示盤を回転可能にさらに収容し、表示窓は、第１表示領域の少なくとも一部を目視可能に露出しておらず、かつ開錠可能である鍵が共通鍵である場合、第２表示領域の少なくとも一部を目視可能に露出し、第１表示領域の少なくとも一部を目視可能に露出しておらず、かつ開錠可能である鍵が固有鍵である場合、第３表示領域の少なくとも一部を目視可能に露出してよい。
【００１１】
上記シリンダ錠は、第１表示盤と前記第２表示盤との間に仕切盤をさらに備え、外筒は、仕切盤を回転不可能にさらに収容してよい。
【００１２】
なお、上記の発明の概要は、本発明の特徴の全てを列挙したものではない。また、これらの特徴群のサブコンビネーションもまた、発明となりうる。
【図面の簡単な説明】
【００１３】
【図１】本実施形態に係るシリンダ錠の外観斜視図の一例を示す図である。
【図２】シリンダ錠の分解斜視図の一例を示す図である。
【図３】シリンダ錠を正面から見た図である。
【図４】鍵穴に共通鍵の挿入部が挿入された状態のシリンダ錠の断面図の一例を示す図である。
【図５】鍵穴に固有鍵の挿入部が挿入された状態のシリンダ錠の断面図の一例を示す図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、本実施形態に係るシリンダ錠１０の外観斜視図の一例を示す図である。シリンダ錠１０は、キーコードを変更可能なシリンダ錠である。シリンダ錠１０を開錠または施錠するのに用いられる鍵は、キーコードをリセット可能な共通鍵５０と、キーコードをリセット不可能な固有鍵６０とがある。シリンダ錠１０は、開錠可能なキーコードに応じて、共通鍵５０および固有鍵６０のいずれか一方で開錠または施錠できる。
【００１６】
共通鍵５０は、複数のシリンダ錠に共通のキーコードを有する鍵である。共通鍵５０は、入手が比較的容易なセキュリティが低い鍵である。固有鍵６０は、固有のキーコードを有する鍵である。固有鍵６０は、入手に制限があり、不正に入手することが困難なセキュリティが高い鍵である。なお、本実施形態では、キーコードを変更可能なシリンダ錠を例に説明するが、シリンダ錠は、キーコードを変更できない錠でもよい。
【００１７】
シリンダ錠１０は、外筒２０および内筒３０を備える。外筒２０は、中心軸を中心に内筒３０を回転可能に収容する。内筒３０は、鍵が挿入される鍵穴３１を有する。内筒３０は、鍵穴３１に挿入された鍵が時計回りまたは反時計回りに回転することに対応して、外筒２０の中心軸を中心に時計回りまたは反時計回りに回転する。
【００１８】
外筒２０は、鍵穴３１を露出する開口２３を有する。外筒２０は、開口２３が形成される面である正面に表示窓２６を有する。表示窓２６は、現在、開錠可能な鍵が共通鍵５０であるか固有鍵６０であるか、未使用時かを表示する。
【００１９】
シリンダ錠１０は、内部に物を収める容器を施錠するのに用いられてよい。シリンダ錠１０は、内部に電気回路または電子回路などを収める筐体を容器として施錠するのに用いられてよい。シリンダ錠１０は、例えば、パチンコ台またはスロット台などの遊技機を施錠するのに用いられてよい。遊技機は、例えば、枠、遊技機本体、およびカバーを備える。遊技機は、枠を介して遊技場の島設備に固定される。カバーは、遊技機本体に設けられた遊技盤を視認可能に覆う。
【００２０】
シリンダ錠１０は、例えば、遊技機本体が有する取付穴に設けられ、枠に対する遊技機本体の施錠を行う。遊技機本体は、錠取付部材の一例である。シリンダ錠１０は、遊技機本体に対するカバーの施錠をさらに行う。例えば、共通鍵５０または固有鍵６０がシリンダ錠１０に対して時計回りに回転されることで、シリンダ錠１０は、枠に対する遊技機本体の施錠状態を開錠状態にする。また、共通鍵５０または固有鍵６０がシリンダ錠１０に対して反時計回りに回転されることで、シリンダ錠１０は、遊技機本体に対するカバーの施錠状態を開錠状態にする。
【００２１】
シリンダ錠１０の出荷時には、設置場所の固有鍵６０のキーコードが不明である場合が多い。例えば、複数のホールに用いられる大量の遊技機がトラックで輸送されることがある。また、大量の遊技機が一旦流通倉庫に保管された後、各ホールに分配されることがある。また、ホールに設置される遊技機の台数が変更されることもある。このように、遊技機は、設置されるまでどのホールに設置されるか確定できない場合が多い。
【００２２】
そこで、シリンダ錠１０は、ホールへの設置時の便宜性を確保するために、開錠可能なキーコードとして、共通鍵５０のキーコードが設定された状態で出荷される。開錠可能なキーコードとして共通鍵５０のキーコードが設定されていることで、遊技機の出荷前の検査、または着荷後の検査を容易に実施することができる。
【００２３】
ホールの管理者は、遊技機がホールに設置された後に、共通鍵５０を用いてシリンダ錠１０のキーコードをリセットして、そのホールに固有の固有鍵６０を用いて固有鍵６０のキーコードをシリンダ錠１０の施錠可能なキーコードに設定する。これにより、シリンダ錠１０は、ホールに固有の固有鍵６０でのみ開錠および施錠されることができ、セキュリティを高めることができる。
【００２４】
しかしながら、上記のように、遊技機に設けられたシリンダ錠１０のキーコードが共通鍵５０のキーコードに設定されている場合、遊技機が出荷され、ホールに設置されるまでの間に、不特定の人が入手可能な共通鍵５０を用いて遊技機に不正行為が行われる可能性がある。例えば、遊技機の流通倉庫に保管されている遊技機に対して、不正に部品交換などが行われる可能性がある。したがって、流通過程などにおいて不正にシリンダ錠１０が開錠されたことを把握できることが望ましい。
【００２５】
そこで、本実施形態に係るシリンダ錠１０は、流通過程などにおいて不正にシリンダ錠１０が開錠されたことを把握するために、未使用状態のシリンダ錠１０の表示窓２６には、未使用状態であることを示す第１表示態様を表示させる。そして、一度鍵穴３１に鍵が挿入され、回転された後に、表示窓２６には、開錠可能な鍵が共通鍵５０であることを示す第２表示態様、または開錠可能な鍵が固有鍵６０であることを示す第３表示態様を表示させる。
【００２６】
一度、鍵穴３１に鍵が挿入され、回転された後には、表示窓２６に第１表示態様は表示されない。表示窓２６に第１表示態様が表示されているか否かを確認することで、流通過程などにおいて不正にシリンダ錠１０が開錠されたことを把握できる。これにより、本実施形態に係るシリンダ錠１０によれば、設置前にシリンダ錠１０が開錠された可能性があれば、遊技機に不正が行われている可能性があることを容易に把握できる。よって、遊技機に対して不正に部品交換が行われたことを気づかずに、その遊技機がホールで利用されることを防止できる。
【００２７】
図２は、シリンダ錠１０の分解斜視図の一例を示す図である。シリンダ錠１０は、外筒２０、内筒３０、第１仕切盤３３、第２表示盤３４、第２仕切盤３５、第１表示盤３６、リセットボタン４０、および背面カバー２４を備える。
【００２８】
外筒２０は、正面に開口２３および表示窓２６を有する。外筒２０には、取り付けフランジ２２が一体的に形成されている。シリンダ錠１０は、取り付けフランジ２２を介して遊技機などが有する錠取付部材に形成された取付穴に設置される。
【００２９】
内筒３０は、鍵穴３１を含む。内筒３０は、鍵の回転に応じて外筒２０の中心軸を中心に回転する。背面カバー２４は、内筒３０の出力軸３２を外部に露出した状態で、内筒３０の背面を覆う。出力軸３２は、外部の施錠ユニットと機械的に連結される。出力軸３２が回転することに応じて施錠ユニットが施錠対象の開錠および施錠を行う。
【００３０】
ユーザは、共通鍵５０のキーコードに設定されているシリンダ錠１０に対して、共通鍵５０、または固有鍵６０を用いて、シリンダ錠１０の開錠または施錠を行うことができる。ユーザは、キーコードをリセットする場合、例えば、リセットボタン４０を中心軸と垂直な方向下方に押下しながら、共通鍵５０を用いて、キーコードをリセットさせるためのリセット位置に内筒３０を回転させる。リセット位置に内筒３０を回転させた後、ユーザは、鍵穴３１に新たな固有鍵６０を挿入して、内筒３０を再び施錠位置まで回転させることで、シリンダ錠１０のキーコードを新たな固有鍵６０の固有のキーコードに変更することができる。
【００３１】
表示窓２６は、鍵穴３１に共通鍵５０などが挿入され、回転していない未使用状態の場合、第１表示態様を表示する。鍵穴３１に共通鍵５０などが挿入され、回転した後、表示窓２６は、開錠可能な鍵が共通鍵５０の場合、第２表示態様を表示する。表示窓２６は、開錠可能な鍵が固有鍵６０の場合、第３表示態様を表示する。
【００３２】
第１表示態様、第２表示態様、および第３表示態様は、シリンダ錠１０の現在の状態が目視で確認できる態様であれば、どのような態様でもよい。第１表示態様、第２表示態様、および第３表示態様は、例えば、色、模様などの違いにより区別されてもよい。例えば、第１表示態様は「青」、第２表示態様は「赤」、第３表示態様は「黒」で示されてよい。
【００３３】
第１表示盤３６は、外筒２０に移動可能に収容され、第１表示態様を示す第１表示領域を含む。第１表示領域は、第１表示盤３６の一面の全体の領域でも、一面の一部の領域でもよい。第１表示盤３６の第１表示領域の少なくとも一部は、シリンダ錠１０が未使用状態の場合、表示窓２６から目視可能に露出される。
【００３４】
第２表示盤３４は、第１表示盤３６の第１表示領域が表示窓２６から目視可能に露出していない場合、その一部が表示窓２６から目視可能に露出され、開錠可能なキーコードを有する現在の鍵の種類を提示する。第２表示盤３４は、開錠可能な鍵が共通鍵５０である第２表示態様を示す第２表示領域３７および開錠可能な鍵が固有鍵６０である第３表示態様を示す第３表示領域３８を含む。
【００３５】
第１仕切盤３３は、外筒２０内の第２表示盤３４と内筒３０との間に回転不可能に収容される。第１仕切盤３３は、内筒３０の回転に伴い第２表示盤３４が回転することを防止する。第２仕切盤３５は、外筒２０内の第２表示盤３４と第１表示盤３６との間に回転不可能に収容される。第２仕切盤３５は、透明または半透明な光透過部材により形成されてよい。第２仕切盤３５は、第２表示盤３４の回転に伴い第１表示盤３６が移動することを防止する。
【００３６】
表示窓２６は、シリンダ錠１０が未使用状態の場合、第１表示盤３６の第１表示領域の少なくとも一部を目視可能に露出する。また、表示窓２６は、第１表示盤３６の第１表示領域の少なくとも一部を目視可能に露出しておらず、かつ開錠可能である鍵が共通鍵５０である場合、第２表示盤３４の第２表示領域３７の少なくとも一部を目視可能に露出する。表示窓２６は、第１表示盤３６の第１表示領域の少なくとも一部を目視可能に露出しておらず、かつ開錠可能である鍵が固有鍵６０である場合、第２表示盤３４の第３表示領域３８の少なくとも一部を目視可能に露出する。
【００３７】
第２表示盤３４は、切り欠き部３９を有する。鍵穴３１に挿入されている鍵が共通鍵５０である場合、共通鍵５０の回転経路上に切り欠き部３９が介在する。よって、共通鍵５０が回転すると、切り欠き部３９を介して第２表示盤３４が回転する。一方、鍵穴３１に挿入されている鍵が固有鍵６０である場合、固有鍵６０の回転経路上に切り欠き部３９が介在しない。よって、固有鍵６０が回転しても、第２表示盤３４は回転しない。
【００３８】
図３は、シリンダ錠１０を正面から見た図である。図３では、第１表示盤３６の全体を実線で描いている。しかし、実際には、第１表示盤３６は、外筒２０内に収容されているので、表示窓２６以外の場所からは目視できない。また、外筒２０の内壁２５も実線で示しているが、実際には、シリンダ錠１０の外部からは目視できない。
【００３９】
第１表示盤３６は、弧状である。第１表示盤３６は、外筒２０の中心軸の方向と反対方向に突出する第１凸部３６１、第２凸部３６２、および第３凸部３６３を有する。第１表示盤３６は、外筒２０の中心軸の方向に突出する第４凸部３６４をさらに有する。第１凸部３６１は、第２部分の一例であり、第４凸部３６４は、第１部分の一例である。
【００４０】
シリンダ錠１０が未使用状態の場合、第１表示盤３６は、図３の右側に示すような第１位置にある。第１表示盤３６が第１位置にある場合、第１表示盤３６の一部が表示窓２６から目視可能に露出する。また、第１表示盤３６が第１位置にある場合、第１表示盤３６の第１凸部３６１が外筒２０の内壁２５によって押されて鍵穴３１の中心軸の方向に弾性変形している。弾性変形していることで、第１表示盤３６の第４凸部３６４が共通鍵５０または固有鍵６０の回転経路上に位置している。よって、鍵穴３１に共通鍵５０または固有鍵６０が挿入され、時計回りに回転すると、第１表示盤３６は、第４凸部３６４を介して押されて、外筒２０の内壁２５に沿って、第１位置から、図３の左側に示す第２位置まで移動する。
【００４１】
第１表示盤３６は、鍵穴３１に挿入された共通鍵５０または固有鍵６０で押されることにより、表示窓２６から第１表示領域の少なくとも一部が目視可能に露出している第１位置から、第１表示領域の少なくとも一部が表示窓２６から目視可能に露出しなくなり、かつ鍵により押されなくなる第２位置まで移動する。第１表示盤３６は、共通鍵５０または固有鍵６０が回転することで共通鍵５０または固有鍵６０により押され、第１位置から第２位置まで移動する。第１表示盤３６は第２位置にある場合、表示窓２６から目視可能に露出されなくてよい。また、第１表示盤３６が表示窓２６から目視可能に露出されなくなることで、第２表示盤３４が表示窓２６から目視可能に露出されるようになる。
【００４２】
外筒２０は、第１表示盤３６が第１位置にある場合に、第２凸部３６２および第３凸部３６３に対応する内壁２５に凹部を有し、第２凸部３６２および第３凸部３６３の外筒２０の内壁２５の凹部に嵌っていてよい。また、外筒２０は、第１表示盤３６が第２位置にある場合に、第２凸部３６２および第３凸部３６３に対応する内壁２５に凹部を有し、第２凸部３６２および第３凸部３６３が外筒２０の内壁２５のそれぞれの凹部に嵌っていてよい。なお、第１表示盤３６が第１位置にある場合に、第２凸部３６２が嵌っている外筒２０の内壁２５の凹部に、第１表示盤３６が第２位置にある場合に、第３凸部３６３が嵌ってよい。
【００４３】
外筒２０は、第１表示盤３６が第２位置にある場合に、第１凸部３６１が嵌る内壁凹部２７を内壁２５に有する。そのため、第１表示盤３６が第２位置にある場合、第１表示盤３６の第１凸部３６１が内壁凹部２７に嵌ることで、第１表示盤３６が第１位置にある場合より鍵穴の中心軸の方向への弾性変形が小さくなる。第１表示盤３６が第１位置にある場合より鍵穴３１の中心軸の方向への弾性変形が小さくなることで、第１表示盤３６の第１凸部３６１が共通鍵５０または固有鍵６０の回転経路上から退避している。よって、第１表示盤３６が第２位置にある場合、鍵穴３１に共通鍵５０または固有鍵６０が挿入され、回転されても、第１表示盤３６は第４凸部３６４を介して押されず、共通鍵５０または固有鍵６０とともに回転しない。つまり、第１表示盤３６は、第１位置から第２位置に移動すると、第１位置には戻らず第２位置に留まる。
【００４４】
以上のように、未使用状態のシリンダ錠１０の表示窓２６には、未使用状態であることを示す第１表示態様として第１表示盤３６の一部が露出される。そして、一度鍵穴３１に鍵が挿入され、回転された後に、表示窓２６には、第１表示盤３６が露出されなくなり、開錠可能な鍵が共通鍵５０であることを示す第２表示態様、または開錠可能な鍵が固有鍵６０であることを示す第３表示態様として、第２表示盤３４の一部が露出される。
【００４５】
一度鍵穴３１に鍵が挿入され、回転された後には、表示窓２６から第１表示態様として第１表示盤３６は露出されない。よって、表示窓２６に第１表示態様として第１表示盤３６が目視可能に露出されているか否かを確認することで、流通過程などにおいて不正にシリンダ錠１０が開錠されたことを把握できる。これにより、本実施形態に係るシリンダ錠１０によれば、設置前にシリンダ錠１０が開錠された可能性があれば、遊技機に不正が行われている可能性があることを容易に把握できる。よって、遊技機に対して不正に部品交換が行われたことを気づかずに、その遊技機がホールで利用されることを防止できる。
【００４６】
なお、本実施形態では、第１表示盤３６が第２位置に移動した後、表示窓２６から目視可能に露出されなくなる。しかし、第１表示盤３６が第２位置に移動した後、第１表示盤３６が表示窓２６から完全に目視できない状態まで移動しなくてもよい。第１表示盤３６は、第１位置にある場合よりも表示窓２６から目視しにくくなる程度に移動するだけでもよい。つまり、第１表示盤３６が第２位置に移動した後も、表示窓２６から、第２表示盤３４に含まれる第２表示領域３７または第３表示領域３８とともに、第１表示盤３６の一部が目視可能に露出されていてもよい。
【００４７】
図４は、鍵穴３１に共通鍵５０の挿入部５２が挿入された状態のシリンダ錠１０の断面図の一例を示す。図５は、鍵穴３１に固有鍵６０の挿入部６２が挿入された状態のシリンダ錠１０の断面図の一例を示す。共通鍵５０の挿入部５２の一部分５２１または固有鍵６０の挿入部６２の一部分６２１が、図３に示すような第１表示盤３６の第４凸部３６４を押すことで、第１表示盤３６は、第１位置から第２位置まで外筒２０の内壁に沿って移動する。
【００４８】
シリンダ錠１０が使用されたかどうかを確認するための手法として、鍵穴３１を覆うように未開封シール、封印シールなどと称されるシールを貼っておくことも考えられる。しかし、このようなシールは、比較的に容易に入手できる場合もある。したがって、シリンダ錠１０が開けられた後に、新しいシールが貼り付けられることで、不正に気づかない可能性がある。一方、本実施形態に係るシリンダ錠１０によれば、第１表示盤３６は、第２位置に移動してしまうと、外筒２０の内部に収まってしまうので、元の位置に戻すのは困難である。したがって、上記のようなシールに比べて、不正行為をより見逃しにくくできる。
【００４９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５１】
１０  シリンダ錠
２０  外筒
２２  取り付けフランジ
２３  開口
２４  背面カバー
２６  表示窓
２７  内壁凹部
３０  内筒
３１  鍵穴
３２  出力軸
３３  第１仕切盤
３４  第２表示盤
３５  第２仕切盤
３６  第１表示盤
３７  第２表示領域
３８  第３表示領域
３９  切り欠き部
４０  リセットボタン
５０  共通鍵
５２  挿入部
６０  固有鍵
６２  挿入部
３６１  第１凸部
３６２  第２凸部
３６３  第３凸部
３６４  第４凸部
【図１】
0006269381.tif 000002
【図２】
0006269381.tif 000003
【図３】
0006269381.tif 000004
【図４】
0006269381.tif 000005
【図５】
0006269381.tif 000006